(57)【特許請求の範囲】
【請求項１】
ネットワークを介して通信端末機器と電子メールによって通信を行う通信手段と、
前記通信手段によって受信された電子メールに含まれる、少なくとも録画開始時間情報、録画終了時間情報、録画チャンネル情報及びユーザ所望の録画番組に係るキーワード情報から構成される録画予約情報を取得する取得手段と、
番組タイトル情報を含む番組案内情報を受信する受信手段と、
前記受信手段によって受信された番組案内情報に基づき前記取得手段によって取得された録画予約情報に該当する番組の番組タイトル情報及び録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する抽出手段と、
前記抽出手段によって前記番組タイトル情報が抽出された場合、当該番組タイトル情報及び前記別候補番組タイトル情報を通知して当該番組タイトル情報に係る番組の録画予約を行う旨をユーザに確認させる確認電子メールを、前記録画予約情報を含む電子メールを送信した通信端末機器に送信し、一方、前記抽出手段によって前記番組タイトル情報が抽出されなかった場合、前記取得手段によって取得された録画予約情報及び前記別候補番組タイトル情報を通知して当該録画予約情報に基づく録画予約を行う旨をユーザに確認させる確認電子メールを、前記録画予約情報を含む電子メールを送信した通信端末機器に送信する送信手段と、
前記送信手段によって確認電子メールを送信してから所定時間以内に、前記通信端末機器から前記別候補番組タイトル情報のうち一の別候補番組タイトル情報を特定した返信があった場合、当該特定された別候補番組タイトル情報に係る番組の録画予約を行う録画予約手段と、
を備えることを特徴とする録画機器。
【請求項２】
ネットワークを介して通信端末機器と電子メールによって通信を行う通信手段と、
前記通信手段によって受信された電子メールに含まれる、少なくとも録画開始時間情報、録画終了時間情報及び録画チャンネル情報から構成される録画予約情報を取得する取得手段と、
番組タイトル情報を含む番組案内情報を受信する受信手段と、
前記受信手段によって受信された番組案内情報に基づき前記取得手段によって取得された録画予約情報に該当する番組の番組タイトル情報を抽出する抽出手段と、
前記抽出手段によって前記番組タイトル情報が抽出された場合、当該番組タイトル情報を通知して当該番組タイトル情報に係る番組の録画予約を行う旨をユーザに確認させる確認電子メールを、前記録画予約情報を含む電子メールを送信した通信端末機器に送信する送信手段と、
前記送信手段によって確認電子メールを送信した後、前記通信端末機器からの返信の有無に基づいて、前記確認電子メールの内容に基づき録画予約を行う録画予約手段と、
を備えることを特徴とする録画機器。
【請求項３】
前記送信手段は、前記抽出手段によって前記番組タイトル情報が抽出されなかった場合、前記取得手段によって取得された録画予約情報を通知して当該録画予約情報に基づく録画予約を行う旨をユーザに確認させる確認電子メールを、前記録画予約情報を含む電子メールを送信した通信端末機器に送信することを特徴とする請求項２に記載の録画機器。
【請求項４】
前記受信手段によって受信された番組案内情報に基づき前記取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する別候補抽出手段と、
前記別候補抽出手段によって抽出された別候補番組タイトル情報を含む電子メールを、前記通信端末機器に送信する別候補送信手段を備え、
前記録画予約手段は、前記通信端末機器から前記別候補抽出手段によって抽出された別候補番組タイトル情報のうち一の別候補番組タイトル情報を特定した返信があった場合、当該特定された別候補番組タイトル情報に係る番組の録画予約を行うことを特徴とする請求項２又は３に記載の録画機器。
【請求項５】
前記抽出手段は、前記受信手段によって受信された番組案内情報に基づき前記取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出し、
前記送信手段は、前記確認電子メールを送信する際、前記別候補番組タイトル情報を含めて送信し、
前記録画予約手段は、前記通信端末機器から前記別候補番組タイトル情報のうち一の別候補番組タイトル情報を特定した返信があった場合、当該特定された別候補番組タイトル情報に係る番組の録画予約を行うことを特徴とする請求項２又は３に記載の録画機器。
【請求項６】
前記録画予約情報は、ユーザ所望の録画番組に係るキーワード情報をさらに含むことを特徴とする請求項２〜５の何れか一項に記載の録画機器。
【発明の詳細な説明】
【技術分野】
【０００１】
本発明は、通信端末機器との間でネットワークを介して通信することができる録画機器において、通信端末機器から送信される電子メール用いて録画予約を行うことができる録画機器に関する。
【背景技術】
【０００２】
近年、携帯端末等を用いて、遠隔地からネットワークを介して電子機器を遠隔操作する技術が利用されており、例えば、テレビ放送番組の録画予約を設定、実行する遠隔制御装置などが提案されている。
【０００３】
従来、かかる遠隔操作制御を用いたものとして、例えば、メールサーバに所定の時間間隔でアクセスして端末装置からの録画予約メールの到着を検出し、その録画予約メールを基に録画予約の設定を行うに際し録画時刻の重なり等の不具合があるときは予約失敗メールを生成して端末装置に送信する放送番組録画装置が知られている（特許文献１参照）。
【０００４】
また、電子番組情報より予め設定したキーワードを基に検索された嗜好番組が録画候補番組として使用者に提示され、録画候補番組の提示された使用者はその番組に対して録画予約の設定を行ったときにのみ、その録画候補番組の録画予約がなされる放送番組録画装置が知られている（特許文献２参照）。
【０００５】
また、録画再生装置がスケジュール情報を含む電子メールを受信すると、スケジュールデータベースを参照するとともに、電子番組表等からなる番組情報データベースおよびユーザの視聴傾向を示す視聴予約履歴データベースに記憶された情報を参照して、番組抽出手段によりユーザの視聴傾向に基づいた放送番組を抽出する。そして抽出された放送番組の内容を自動録画する装置が知られている（特許文献３参照）。
【０００６】
また、家庭用ビデオサーバー上に組み入れられた番組選択エージェントがユーザの興味のある番組、すなわちユーザ嗜好番組を幾つか選択し、メールを使ってユーザの携帯電話機に通知できるようにする。ユーザは送られてきたメールから録画したい番組だけを携帯電話機の画面上で選択し、ビデオサーバーにメール送信し、家庭用ビデオサーバーは、返信されてきたメールの情報を基に番組予約を行う番組予約システムが知られている（特許文献４及び特許文献５参照）。
【特許文献１】特開２００４−１２０５０１号公報
【特許文献２】特開２００３−３１９３０４号公報
【特許文献３】特開２００４−３６３６８９号公報
【特許文献４】特開２００５−１７５７６６号公報
【特許文献５】特開２００５−０８６２５８号公報
【発明の開示】
【発明が解決しようとする課題】
【０００７】
しかしながら、特許文献１〜５に開示された装置では、ユーザ所望の番組を録画開始する前に、ユーザにより通信端末機器から送信された電子メールに含まれる録画予約情報に基づく内容で録画を行う旨の確認を電子メールで通知するものではないので、録画開始前に、ユーザは、録画したい番組が正しく録画設定されているか分からないという問題があった。
【０００８】
本発明の課題は、ユーザが録画予約を行う際の録画予約情報の勘違い等による誤まった番組の録画を未然に防止することができる録画機器を提供することである。
【課題を解決するための手段】
【０００９】
上記課題を解決するため、請求項１に記載の発明は、
ネットワークを介して通信端末機器と電子メールによって通信を行う通信手段と、
前記通信手段によって受信された電子メールに含まれる、少なくとも録画開始時間情報、録画終了時間情報、録画チャンネル情報及びユーザ所望の録画番組に係るキーワード情報から構成される録画予約情報を取得する取得手段と、
番組タイトル情報を含む番組案内情報を受信する受信手段と、
前記受信手段によって受信された番組案内情報に基づき前記取得手段によって取得された録画予約情報に該当する番組の番組タイトル情報及び録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する抽出手段と、
前記抽出手段によって前記番組タイトル情報が抽出された場合、当該番組タイトル情報及び前記別候補番組タイトル情報を通知して当該番組タイトル情報に係る番組の録画予約を行う旨をユーザに確認させる確認電子メールを、前記録画予約情報を含む電子メールを送信した通信端末機器に送信し、一方、前記抽出手段によって前記番組タイトル情報が抽出されなかった場合、前記取得手段によって取得された録画予約情報及び前記別候補番組タイトル情報を通知して当該録画予約情報に基づく録画予約を行う旨をユーザに確認させる確認電子メールを、前記録画予約情報を含む電子メールを送信した通信端末機器に送信する送信手段と、
前記送信手段によって確認電子メールを送信してから所定時間以内に、前記通信端末機器から前記別候補番組タイトル情報のうち一の別候補番組タイトル情報を特定した返信があった場合、当該特定された別候補番組タイトル情報に係る番組の録画予約を行う録画予約手段と、
を備えることを特徴とする。
【００１０】
請求項２に記載の発明は、
ネットワークを介して通信端末機器と電子メールによって通信を行う通信手段と、
前記通信手段によって受信された電子メールに含まれる、少なくとも録画開始時間情報、録画終了時間情報及び録画チャンネル情報から構成される録画予約情報を取得する取得手段と、
番組タイトル情報を含む番組案内情報を受信する受信手段と、
前記受信手段によって受信された番組案内情報に基づき前記取得手段によって取得された録画予約情報に該当する番組の番組タイトル情報を抽出する抽出手段と、
前記抽出手段によって前記番組タイトル情報が抽出された場合、当該番組タイトル情報を通知して当該番組タイトル情報に係る番組の録画予約を行う旨をユーザに確認させる確認電子メールを、前記録画予約情報を含む電子メールを送信した通信端末機器に送信する送信手段と、
前記送信手段によって確認電子メールを送信した後、前記通信端末機器からの返信の有無に基づいて、前記確認電子メールの内容に基づき録画予約を行う録画予約手段と、
を備えることを特徴とする。
【００１１】
請求項３に記載の発明は、請求項２に記載の発明において、
前記送信手段は、前記抽出手段によって前記番組タイトル情報が抽出されなかった場合、前記取得手段によって取得された録画予約情報を通知して当該録画予約情報に基づく録画予約を行う旨をユーザに確認させる確認電子メールを、前記録画予約情報を含む電子メールを送信した通信端末機器に送信することを特徴とする。
【００１２】
請求項４に記載の発明は、請求項２又は３に記載の発明において、
前記受信手段によって受信された番組案内情報に基づき前記取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する別候補抽出手段と、
前記別候補抽出手段によって抽出された別候補番組タイトル情報を含む電子メールを、前記通信端末機器に送信する別候補送信手段を備え、
前記録画予約手段は、前記通信端末機器から前記別候補抽出手段によって抽出された別候補番組タイトル情報のうち一の別候補番組タイトル情報を特定した返信があった場合、当該特定された別候補番組タイトル情報に係る番組の録画予約を行うことを特徴とする。
【００１３】
請求項５に記載の発明は、請求項２又は３に記載の発明において、
前記抽出手段は、前記受信手段によって受信された番組案内情報に基づき前記取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出し、
前記送信手段は、前記確認電子メールを送信する際、前記別候補番組タイトル情報を含めて送信し、
前記録画予約手段は、前記通信端末機器から前記別候補番組タイトル情報のうち一の別候補番組タイトル情報を特定した返信があった場合、当該特定された別候補番組タイトル情報に係る番組の録画予約を行うことを特徴とする。
【００１４】
請求項６に記載の発明は、請求項２〜５の何れか一項に記載の発明において、
前記録画予約情報は、ユーザ所望の録画番組に係るキーワード情報をさらに含むことを特徴とする。
【発明の効果】
【００１５】
請求項１に記載の発明によれば、通信手段によって、ネットワークを介して通信端末機器と電子メールによって通信を行うことができ、取得手段によって、通信手段によって受信された電子メールに含まれる、少なくとも録画開始時間情報、録画終了時間情報、録画チャンネル情報及びユーザ所望の録画番組に係るキーワード情報から構成される録画予約情報を取得することができ、受信手段によって、番組タイトル情報を含む番組案内情報を受信することができ、抽出手段によって、受信手段によって受信された番組案内情報に基づき取得手段によって取得された録画予約情報に該当する番組の番組タイトル情報及び録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出することができ、抽出手段によって番組タイトル情報が抽出された場合、送信手段によって、当該番組タイトル情報及び別候補番組タイトル情報を通知して当該番組タイトル情報に係る番組の録画予約を行う旨をユーザに確認させる確認電子メールを、録画予約情報を含む電子メールを送信した通信端末機器に送信し、一方、抽出手段によって番組タイトル情報が抽出されなかった場合、送信手段によって、取得手段によって取得された録画予約情報及び別候補番組タイトル情報を通知して当該録画予約情報に基づく録画予約を行う旨をユーザに確認させる確認電子メールを、録画予約情報を含む電子メールを送信した通信端末機器に送信することができ、送信手段によって確認電子メールを送信してから所定時間以内に、通信端末機器から別候補番組タイトル情報のうち一の別候補番組タイトル情報を特定した返信があった場合、録画予約手段によって、当該特定された別候補番組タイトル情報に係る番組の録画予約を行うことができる。
従って、録画開始前、録画機器側から録画予約情報に基づいて抽出された番組タイトル情報をユーザに通知することができることとなり、ユーザは、勘違い等による誤まった番組の録画を未然に防止することができる。さらに、録画予約情報には、ユーザ所望の録画番組に係るキーワード情報をさらに含めることができることとなり、番組タイトル情報の抽出における精度を上げることができる。
また、録画開始前、番組タイトル情報が抽出されない場合でも、録画機器側から録画予約情報をユーザに通知することができることとなり、録画開始前に少なくともユーザが意図した録画予約情報に基づく録画予約設定が行われることを確認でき、ユーザは、本当に録画設定が行われているかという不安を解消することができる。
また、確認電子メールを送信する際に別候補の番組タイトル情報を含めて送信することができることとなり、かかる確認電子メールに基づき、録画予約設定される番組の番組タイトル情報若しくは録画予約情報を確認できるとともに、仮に録画予約設定される番組の番組タイトル情報若しくは録画予約情報が誤まったものであっても別候補の番組タイトル情報に基づき録画予約の訂正を行うことができ、ユーザにとってより使い勝手が良い。
【００１６】
請求項２に記載の発明によれば、通信手段によって、ネットワークを介して通信端末機器と電子メールによって通信を行うことができ、取得手段によって、通信手段によって受信された電子メールに含まれる、少なくとも録画開始時間情報、録画終了時間情報及び録画チャンネル情報から構成される録画予約情報を取得することができ、受信手段によって、番組タイトル情報を含む番組案内情報を受信することができ、抽出手段によって、受信手段によって受信された番組案内情報に基づき取得手段によって取得された録画予約情報に該当する番組の番組タイトル情報を抽出することができ、抽出手段によって番組タイトル情報が抽出された場合、送信手段によって、当該番組タイトル情報を通知して当該番組タイトル情報に係る番組の録画予約を行う旨をユーザに確認させる確認電子メールを、録画予約情報を含む電子メールを送信した通信端末機器に送信することができ、録画予約手段によって、送信手段によって確認電子メールを送信した後、通信端末機器からの返信の有無に基づいて、確認電子メールの内容に基づき録画予約を行うことができる。
従って、録画開始前、録画機器側から録画予約情報に基づいて抽出された番組タイトル情報をユーザに通知することができることとなり、ユーザは、勘違い等による誤まった番組の録画を未然に防止することができる。
【００１７】
請求項３に記載の発明によれば、請求項２に記載の発明と同様の効果が得られることは無論のこと、抽出手段によって番組タイトル情報が抽出されなかった場合、送信手段によって、取得手段によって取得された録画予約情報を通知して当該録画予約情報に基づく録画予約を行う旨をユーザに確認させる確認電子メールを、録画予約情報を含む電子メールを送信した通信端末機器に送信することができる。
従って、録画開始前、録画機器側から録画予約情報をユーザに通知することができることとなり、録画開始前に少なくともユーザが意図した録画予約情報に基づく録画予約設定が行われることを確認でき、ユーザは、本当に録画設定が行われているかという不安を解消することができる。
【００１８】
請求項４に記載の発明によれば、請求項２又は３に記載の発明と同様の効果が得られることは無論のこと、別候補抽出手段によって、受信手段によって受信された番組案内情報に基づき取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出することができ、別候補送信手段によって、別候補抽出手段によって抽出された別候補番組タイトル情報を含む電子メールを、通信端末機器に送信することができ、通信端末機器から別候補抽出手段によって抽出された別候補番組タイトル情報のうち一の別候補番組タイトル情報を特定した返信があった場合、録画予約手段によって、当該特定された別候補番組タイトル情報に係る番組の録画予約を行うことができる。
従って、ユーザから当初送信された電子メールに含まれる録画予約情報に勘違い等があった場合でも、録画機器からの電子メールに含まれる別候補の番組タイトル情報にユーザ所望の録画番組が含まれていれば、かかる別候補の番組タイトル情報に基づき、録画予約を行うことができることとなり、再度、録画予約情報を含む電子メールを送信する手間が省け、ユーザにとって使い勝手が良い。
【００１９】
請求項５に記載の発明によれば、請求項２又は３に記載の発明と同様の効果が得られることは無論のこと、抽出手段によって、受信手段によって受信された番組案内情報に基づき取得手段によって取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出することができ、送信手段によって、確認電子メールを送信する際、別候補番組タイトル情報を含めて送信することができ、通信端末機器から別候補番組タイトル情報のうち一の別候補番組タイトル情報を特定した返信があった場合、録画予約手段によって、当該特定された別候補番組タイトル情報に係る番組の録画予約を行うことができる。
従って、確認電子メールを送信する際に別候補の番組タイトル情報を含めて送信することができることとなり、かかる確認電子メールに基づき、録画予約設定される番組の番組タイトル情報若しくは録画予約情報を確認できるとともに、仮に録画予約設定される番組の番組タイトル情報若しくは録画予約情報が誤まったものであっても別候補の番組タイトル情報に基づき録画予約の訂正を行うことができ、ユーザにとってより使い勝手が良い。
【００２０】
請求項６に記載の発明によれば、請求項２〜５の何れか一項に記載の発明と同様の効果が得られることは無論のこと、録画予約情報には、ユーザ所望の録画番組に係るキーワード情報をさらに含めることができる。
従って、番組タイトル情報の抽出における精度を上げることができる。
【発明を実施するための最良の形態】
【００２１】
以下、図を参照して、本発明に係る録画機器を実施するための最良の形態を詳細に説明する。
【００２２】
まず、本発明に係る録画機器１００の構成について説明する。本発明に係る録画機器１００は、図１に示すように、アンテナ１，チューナ２，復調部３、分離部４，デコーダ５，エンコーダ６、ＨＤＤ７、ＯＳＤ処理部８、制御部９、通信部１０等を備えて構成される。
また、録画機器１００は、液晶パネル等の映像表示部（図示省略）やスピーカ等の音声出力部（図示省略）を備えた映像／音声出力装置２００、ネットワーク３００を介して通信端末機器４００と接続されている。
【００２３】
アンテナ１は、例えば、パラボラアンテナやＵＨＦアンテナ等であり、デジタル放送信号を受信し、ＲＦ（Radio  Frequency）信号をチューナ２に出力する。なお、デジタル放送信号に含まれる物理チャンネルの放送データは、ＭＰＥＧ２−ＴＳ方式により多重化されている。
【００２４】
チューナ２は、例えば、ミキサ（図示省略），選局回路（図示省略）等を備えて構成される。そして、チューナ２において、ミキサ，選局回路等により、アンテナ１から入力されたＲＦ信号からユーザが所望する物理チャンネルのＩＦ（Intermediate  Frequency）信号が生成される。
【００２５】
復調部３は、逆インタリーブ回路（図示省略），誤り訂正回路（図示省略），復調回路（図示省略）等を備えて構成される。そして、復調部３において、逆インタリーブ回路，誤り訂正回路，復調回路等により、生成されたＩＦ信号に誤り訂正処理や復調処理等が施され、放送データとしてのＴＳ（Transport  Stream）信号に変換される。復調部３により生成されたＴＳ信号は、分離部４に出力される。
【００２６】
分離部４は、例えば、復調部３，デコーダ５等と接続され、復調部３から入力されるＴＳ信号を映像データ，音声データに分離し、デコーダ５に出力する。
【００２７】
デコーダ５は、分離部４から入力される映像データや音声データに復号処理を行って、映像／音声出力装置２００に出力する。
【００２８】
エンコーダ６は、デコーダ５からＣＰＵ９１を介して出力される映像データ，音声データに符号化処理を行い、ＨＤＤ７に出力する。
【００２９】
ＨＤＤ７は、磁気的記録媒体等を備えて構成され、エンコーダ６から入力された映像データ及び音声データを記憶する。
【００３０】
ＯＳＤ処理部８は、後述する制御部９から入力される制御信号に従って、ＯＳＤ（On Screen Display ）信号をデコーダ５から映像／音声出力装置２００へ出力される映像データに合成する。
【００３１】
制御部９は、図１に示すように、ＣＰＵ（Central  Processing  Unit）９１，ＲＡＭ（Random  Access  Memory）９２，記憶部９３等を備えて構成され、チューナ２，復調部３、分離部４，デコーダ５，エンコーダ６、ＨＤＤ７、ＯＳＤ処理部８、通信部１０等と接続され、録画機器１００の各部の制御を行う。
【００３２】
ＣＰＵ９１は、記憶部９３に格納された処理プログラム等を読み出して、ＲＡＭ９２に展開して実行することにより、録画機器１００全体の制御を行う。
【００３３】
ＲＡＭ９２は、ＣＰＵ９１により実行された処理プログラム等を、ＲＡＭ９２内のプログラム格納領域に展開するとともに、入力データや上記処理プログラムが実行される際に生じる処理結果等をデータ格納領域に格納する。より具体的には、ＲＡＭ９２は、例えば、アンテナ１で受信されたデジタル放送信号に含まれている番組案内情報としての最新の電子番組ガイド（ＥＰＧ）データを格納する。
【００３４】
記憶部９３は、例えば、プログラムやデータ等が予め記憶されている記録媒体（図示省略）を有しており、この記録媒体は、例えば、半導体メモリ等で構成されている。また、記憶部９３は、ＣＰＵ９１が録画機器１００全体を制御する機能を実現させるための各種データ，各種処理プログラム，これらプログラムの実行により処理されたデータ等を記憶する。より具体的には、記憶部９３は、例えば、図１に示すように、取得プログラム９３ａ，抽出プログラム９３ｂ，送信プログラム９３ｃ，録画予約プログラム９３ｄ，別候補抽出プログラム９３ｅ，別候補送信プログラム９３ｆ等を格納している。
【００３５】
取得プログラム９３ａは、ＣＰＵ９１に、電子メールに含まれる録画予約情報を取得する機能を実現させるプログラムである。
具体的には、ＣＰＵ９１は、後述する通信部１０によって受信された電子メールから、録画開始時間情報、録画終了時間情報、録画チャンネル情報及びユーザ所望の録画番組に係るキーワード情報を取得する。
ここで、キーワード情報としては、ジャンル、番組タイトル情報、出演者名などであり、番組案内情報から取得可能な情報であればよい。
ＣＰＵ９１は、かかる取得プログラム９３ａを実行することで、取得手段として機能する。
【００３６】
抽出プログラム９３ｂは、ＣＰＵ９１に、番組案内情報であるＥＰＧデータから所定の番組タイトル情報を抽出する機能を実現させるプログラムである。
具体的には、ＣＰＵ９１は、抽出プログラム９３ｂを実行することによって、アンテナ１で受信されたＥＰＧデータに基づき、ＣＰＵ９１が取得プログラム９３ａを実行することにより取得された録画開始時間情報、録画終了時間情報、録画チャンネル情報及びユーザ所望の録画番組に係るキーワード情報から構成される録画予約情報に該当する番組の番組タイトル情報を抽出する。
また、ＣＰＵ９１は、抽出プログラム９３ｂを実行することによって、録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する。
ＣＰＵ９１は、かかる抽出プログラム９３ｂを実行することによって、抽出手段として機能する。
【００３７】
送信プログラム９３ｃは、ＣＰＵ９１に、確認電子メールを、録画予約情報を含む電子メールを送信した通信端末機器４００に送信する機能を実現させるプログラムである。
具体的には、ＣＰＵ９１が抽出プログラム９３ｂを実行することによって番組タイトル情報が抽出された場合、ＣＰＵ９１は、送信プログラム９３ｃを実行することによって、当該番組タイトル情報及び別候補番組タイトル情報を通知して当該番組タイトル情報に係る番組の録画予約を行う旨をユーザに確認させる確認電子メールを、録画予約情報を含む電子メールを送信した通信端末機器４００に送信する。一方、ＣＰＵ９１が抽出プログラム９３ｂを実行することによって番組タイトル情報が抽出されなかった場合、ＣＰＵ９１は、送信プログラム９３ｃを実行することによって、ＣＰＵ９１が取得プログラム９３ａを実行することによって取得された録画予約情報及び別候補番組タイトル情報を通知して当該録画予約情報に基づく録画予約を行う旨をユーザに確認させる確認電子メールを、録画予約情報を含む電子メールを送信した通信端末機器４００に送信する。
ＣＰＵ９１は、かかる送信プログラム９３ｃを実行することにより、送信手段として機能する。
【００３８】
録画予約プログラム９３ｄは、ＣＰＵ９１に、通信端末機器４００からの電子メールの返信内容に基づき録画予約を行う機能を実現させるプログラムである。
具体的には、ＣＰＵ９１が送信プログラム９３ｃを実行することによって確認電子メールを送信してから所定時間以内に、通信端末機器４００から別候補番組タイトル情報のうち一の別候補番組タイトル情報を特定した返信があった場合、ＣＰＵ９１は、録画予約プログラム９３ｄを実行することにより、当該特定された別候補番組タイトル情報に係る番組の録画予約を行う。
ＣＰＵ９１は、かかる録画予約プログラム９３ｄを実行することにより、録画予約手段として機能する。
【００３９】
別候補抽出プログラム９３ｅは、ＣＰＵ９１に、録画予約情報に基づき抽出された番組タイトル情報とは別の所定の番組タイトル情報を抽出する機能を実現させるプログラムである。
具体的には、ＣＰＵ９１は、別候補抽出プログラム９３ｅを実行することによって、アンテナ１で受信された番組案内情報に基づき、ＣＰＵ９１が取得プログラム９３ａを実行することにより取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する。
ＣＰＵ９１は、かかる別候補抽出プログラム９３ｅを実行することにより、別候補抽出手段として機能する。
【００４０】
別候補送信プログラム９３ｆは、ＣＰＵ９１に、別候補番組タイトル情報を含む電子メールを送信する機能を実現させるプログラムである。
具体的には、例えば、ＣＰＵ９１が送信プログラム９３ｃを実行することにより、確認電子メールを送信し、通信端末機器４００から返信があった場合、ＣＰＵ９１は、別候補送信プログラム９３ｆを実行することにより、ＣＰＵ９１が抽出プログラム９３ｂを実行することにより抽出した別候補番組タイトル情報を含む電子メールを当該通信端末機器４００に送信する。
ＣＰＵ９１は、かかる別候補送信プログラム９３ｆを実行することにより、別候補送信手段として機能する。
【００４１】
通信部１０は、ネットワーク３００を介して通信端末機器４００と接続されており、録画機器１００が確認電子メールを、ネットワーク３００を介して通信端末機器４００に送信することにより送信手段として、また、別候補番組タイトル情報を含む電子メールを送信することにより別候補送信手段として機能する。
【００４２】
次に、本発明に係る録画機器１００における第１の録画予約処理について、図２に示すフローチャートを参照しながら説明する。
【００４３】
まず、ステップＳ１において、録画機器１００が通信端末機器４００から送信された録画予約を行うための電子メールを通信部１０で受信すると、ＣＰＵ９１は、取得プログラム９３ａを実行することによって、当該電子メールに含まれる録画予約情報を取得する。
【００４４】
次いで、ステップＳ２において、ＣＰＵ９１は、抽出プログラム９３ｂを実行することにより、アンテナ１で受信された番組案内情報に基づき、ＣＰＵ９１が取得プログラム９３ａを実行することにより取得された録画予約情報に該当する番組の番組タイトル情報を抽出する。
【００４５】
次いで、ステップＳ３において、ＣＰＵ９１が抽出プログラム９３ｂを実行することにより番組タイトル情報が抽出された場合（ステップＳ３；Ｙｅｓ）、ステップＳ４へ進み、ＣＰＵ９１は、送信プログラム９３ｃを実行することにより、抽出された番組タイトル情報を通知して当該番組タイトル情報に係る番組の録画予約を行う旨をユーザに確認させる確認電子メールを、録画予約情報を含む電子メールを送信した通信端末機器４００に送信する。一方、ＣＰＵ９１が抽出プログラム９３ｂを実行することにより番組タイトル情報が抽出されなかった場合（ステップＳ３；Ｎｏ）、ステップＳ５へ進み、ＣＰＵ９１は、送信プログラム９３ｃを実行することにより、ＣＰＵ９１が取得プログラム９３ａを実行することによって取得された録画予約情報を通知して当該録画予約情報に基づく録画予約を行う旨をユーザに確認させる確認電子メールを、録画予約情報を含む電子メールを送信した通信端末機器４００に送信する。
【００４６】
次いで、ステップＳ６において、ＣＰＵ９１は、所定時間以内に確認電子メールの送信に対する返信があるか否かを判断し、返信があると判断した場合（ステップＳ６；Ｙｅｓ）、ステップＳ７へ進む。一方、ＣＰＵ９１が所定時間以内に返信がないと判断した場合、（ステップＳ６；Ｎｏ）、ステップＳ８へ進み、ＣＰＵ９１は、録画予約プログラム９３ｆを実行することにより、ＣＰＵ９１が抽出プログラム９３ｂを実行することにより抽出された番組タイトル情報またはＣＰＵ９１が取得プログラム９３ａを実行することにより取得された録画予約情報に基づく録画予約を行い、本処理を終了する。
【００４７】
次いで、ステップＳ７において、ＣＰＵ９１は、別候補抽出プログラム９３ｅを実行することにより、ＣＰＵ９１が取得プログラム９３ａを実行することにより取得された録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する。そして、ＣＰＵ９１は、別候補送信プログラム９３ｆを実行することにより、当該別候補番組タイトル情報を含む電子メールを通信端末機器４００に送信する。
【００４８】
次いで、ステップＳ９において、ＣＰＵ９１が別候補タイトル情報を含む電子メールの送信に対して通信端末機器４００から当該別候補タイトル情報の一を特定した返信があったと判断した場合（ステップＳ９；Ｙｅｓ）、ステップＳ１０へ進む。一方、ＣＰＵ９１が別候補タイトル情報を含む電子メールの送信に対して通信端末機器４００から当該別候補タイトル情報の一を特定した返信がないと判断した場合（ステップＳ９；Ｎｏ）、本処理を終了する。
【００４９】
次いで、ステップＳ１０において、ＣＰＵ９１は、録画予約プログラム９３ｆを実行することにより、当該特定された別候補番組タイトル情報に係る番組の録画予約を行い、本処理を終了する。
【００５０】
次に、本発明に係る録画機器１００おける第２の録画予約処理について、図３に示すフローチャートを参照しながら説明する。
【００５１】
まず、ステップＳ１１において、録画機器１００が通信端末機器４００から送信された録画予約を行うための電子メールを通信部１０で受信すると、ＣＰＵ９１は、取得プログラム９３ａを実行することによって、当該電子メールに含まれる録画予約情報を取得する。
【００５２】
次いで、ステップＳ１２において、ＣＰＵ９１は、抽出プログラム９３ｂを実行することにより、アンテナ１で受信された番組案内情報に基づき、ＣＰＵ９１が取得プログラム９３ａを実行することにより取得された録画予約情報に該当する番組の番組タイトル情報及び録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出する。
【００５３】
次いで、ステップＳ１３において、ＣＰＵ９１が抽出プログラム９３ｂを実行することにより番組タイトル情報が抽出された場合（ステップＳ１３；Ｙｅｓ）、ステップＳ１４へ進み、ＣＰＵ９１は、送信プログラム９３ｃを実行することにより、抽出された番組タイトル情報及び別候補番組タイトル情報を通知して当該番組タイトル情報に係る番組の録画予約を行う旨をユーザに確認させる確認電子メールを、録画予約情報を含む電子メールを送信した通信端末機器４００に送信する。一方、ＣＰＵ９１が抽出プログラム９３ｂを実行することにより番組タイトル情報が抽出されなかった場合（ステップＳ１３；Ｎｏ）、ステップＳ１５へ進み、ＣＰＵ９１は、送信プログラム９３ｃを実行することにより、ＣＰＵ９１が取得プログラム９３ａを実行することによって取得された録画予約情報及び別候補番組タイトル情報を通知して当該録画予約情報に基づく録画予約を行う旨をユーザに確認させる確認電子メールを、録画予約情報を含む電子メールを送信した通信端末機器４００に送信する。
【００５４】
次いで、ステップＳ１６において、ＣＰＵ９１は、所定時間以内に確認電子メールの送信に対する返信があるか否かを判断し、返信があると判断した場合（ステップＳ１６；Ｙｅｓ）、ステップＳ１７へ進む。一方、ＣＰＵ９１が所定時間以内に返信がないと判断した場合（ステップＳ１６；Ｎｏ）、ステップＳ１８へ進み、ＣＰＵ９１は、録画予約プログラム９３ｆを実行することにより、ＣＰＵ９１が抽出プログラム９３ｂを実行することにより抽出された番組タイトル情報またはＣＰＵ９１が取得プログラム９３ａを実行することにより取得された録画予約情報に基づく録画予約を行い、本処理を終了する。
【００５５】
次いで、ステップＳ１７において、ＣＰＵ９１が確認電子メールの送信に対して通信端末機器４００から当該別候補タイトル情報の一を特定した返信があったと判断した場合（ステップＳ１７；Ｙｅｓ）、ステップＳ１９へ進む。一方、ＣＰＵ９１が確認電子メールの送信に対して通信端末機器４００から当該別候補タイトル情報の一を特定した返信がないと判断した場合（ステップＳ１７；Ｎｏ）、本処理を終了する。
【００５６】
次いで、ステップＳ１９において、ＣＰＵ９１は、録画予約プログラム９３ｆを実行することにより、当該特定された別候補番組タイトル情報に係る番組の録画予約を行い、本処理を終了する。
【００５７】
以上説明した本発明にかかる録画機器１００によれば、通信部１０によって、ネットワーク３００を介して通信端末機器４００と電子メールによって通信を行うことができ、ＣＰＵ９１が、取得プログラム９３ａを実行することによって、通信部１０によって受信された電子メールに含まれる、少なくとも録画開始時間情報、録画終了時間情報、録画チャンネル情報及びユーザ所望の録画番組に係るキーワード情報から構成される録画予約情報を取得することができ、アンテナ１によって、番組タイトル情報を含む番組案内情報を受信することができ、ＣＰＵ９１が、抽出プログラム９３ｂを実行することによって、アンテナ１によって受信された番組案内情報に基づきＣＰＵ９１が取得プログラム９３ａを実行することによって取得された録画予約情報に該当する番組の番組タイトル情報及び録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報を別候補番組タイトル情報として抽出することができ、ＣＰＵ９１が抽出プログラム９３ｂを実行することによって番組タイトル情報が抽出された場合、ＣＰＵ９１が、送信プログラム９３ｃを実行することによって、当該番組タイトル情報及び別候補番組タイトル情報を通知して当該番組タイトル情報に係る番組の録画予約を行う旨をユーザに確認させる確認電子メールを、録画予約情報を含む電子メールを送信した通信端末機器４００に送信し、一方、ＣＰＵ９１が抽出プログラム９３ｂを実行することによって番組タイトル情報が抽出されなかった場合、ＣＰＵ９１が、送信プログラム９３ｃを実行することによって、ＣＰＵ９１が取得プログラム９３ａを実行することによって取得された録画予約情報及び別候補番組タイトル情報を通知して当該録画予約情報に基づく録画予約を行う旨をユーザに確認させる確認電子メールを、録画予約情報を含む電子メールを送信した通信端末機器４００に送信することができ、ＣＰＵ９１が送信プログラム９３ｃを実行することによって確認電子メールを送信してから所定時間以内に、通信端末機器４００から別候補番組タイトル情報のうち一の別候補番組タイトル情報を特定した返信があった場合、ＣＰＵ９１は、録画予約プログラム９３ｄを実行することによって、当該特定された別候補番組タイトル情報に係る番組の録画予約を行うことができる。
従って、録画開始前、録画機器側から録画予約情報に基づいて抽出された番組タイトル情報をユーザに通知することができることとなり、ユーザは、勘違い等による誤まった番組の録画をすることを未然に防止することができる。さらに、録画予約情報には、ユーザ所望の録画番組に係るキーワード情報をさらに含めることができることとなり、録画予約情報の勘違い等による誤まった番組の抽出を好適に軽減することができる。
また、録画開始前、番組タイトル情報が抽出されない場合でも、録画機器側から録画予約情報をユーザに通知することができることとなり、録画開始前に少なくともユーザが意図した録画予約情報に基づく録画予約設定が行われることを確認でき、ユーザは、本当に録画設定が行われているかという不安を解消することができる。
また、確認電子メールを送信する際に別候補の番組タイトル情報を含めて送信することができることとなり、かかる確認電子メールに基づき、録画予約設定される番組の番組タイトル情報若しくは録画予約情報を確認できるとともに、仮に録画予約設定される番組の番組タイトル情報若しくは録画予約情報が誤まったものであっても別候補の番組タイトル情報に基づき録画予約の訂正を行うことができ、ユーザにとってより使い勝手が良い。
【００５８】
なお、本発明は、上記実施の形態に限定されることなく、本発明の趣旨を逸脱しない範囲において、種々の改良並びに設計の変更を行っても良い。
例えば、録画予約情報を構成する録画開始情報及び録画終了情報が、番組案内情報において複数の番組をまたいでいる場合、抽出手段は、例えば、当該複数の番組のうち、録画開始時間の最も速い番組のみを抽出しても良く、また当該複数の番組をすべて抽出する設計でも良い。
また、別候補抽出手段は、別候補番組タイトル情報として、録画予約情報のうちの録画チャンネル情報と同一録画チャンネル内において録画開始時間の前後に当たる番組の番組タイトル情報及び録画開始時間における当該録画チャンネル情報の前後に当たる放送チャンネルの番組タイトル情報に限らず、録画予約情報のうちの録画チャンネル情報と同一録画チャンネル内において録画開始時間の前後に当たる番組のさらに前後に当たる番組の番組タイトル情報や録画開始時間における当該録画チャンネル情報の前後に当たる放送チャンネルのさらにその前後に当たる放送チャンネルの番組タイトル情報を、ユーザの任意の設定により抽出することができる設計であっても良い。
また、送信手段及び別候補送信手段では、通信端末機器への所定の電子メールの送信時間を、ユーザによって設定変更できる設計であっても良い。
【図面の簡単な説明】
【００５９】
【図１】本発明に係る録画機器の要部構成を示すブロック図である。
【図２】本発明に係る録画機器１００の第１の録画予約処理について説明するフローチャートである。
【図３】本発明に係る録画機器１００の第２の録画予約処理について説明するフローチャートである。
【符号の説明】
【００６０】
１００    録画機器
１        アンテナ（受信手段）
９１      ＣＰＵ（取得手段、抽出手段、送信手段、録画予約手段、別候補抽出手段、別候補送信手段）
９３ａ    取得プログラム（取得手段）
９３ｂ    抽出プログラム（抽出手段）
９３ｃ    送信プログラム（送信手段）
９３ｄ    録画予約プログラム（録画予約手段）
９３ｅ    別候補抽出プログラム（別候補抽出手段）
９３ｆ    別候補送信プログラム（別候補送信手段）
１０      通信部（通信手段、送信手段、別候補送信手段）
３００    ネットワーク
４００    通信端末機器
【図１】
0004645532.tif 000002
【図２】
0004645532.tif 000003
【図３】
0004645532.tif 000004